【手続補正書】
【提出日】平成16年6月2日(2004.6.2)
【手続補正１】
【補正対象書類名】明細書
【補正対象項目名】特許請求の範囲
【補正方法】変更
【補正の内容】
【特許請求の範囲】
【請求項１】
演奏教習に係る曲を構成する複数の音符の各音符ごとの音高及び発音開始時間のデータを含む音符データを記憶する記憶手段と、
演奏に際して楽音の音高を指定するための複数の操作子と、
各操作子ごとに対応して設けられ、異なる態様で表示可能な表示手段と、
所定時間を設定する時間設定手段と、
前記記憶手段から音符データを順次読み出すデータ読出手段と、
このデータ読出手段によって読み出された音符データの発音開始時間と現在時間に前記所定時間を加算した未来時間とを比較して、当該未来時間以内の発音開始時間を有する音符データを選択するデータ選択手段と、
このデータ選択手段によって選択された音符データの音高を指定するための操作子に対応する表示手段を、当該音符データの発音開始時間に応じた態様で表示させる表示制御手段と、
を備えたことを特徴とする演奏教習装置。
【請求項２】
前記表示制御手段は、現在時間に達した発音開始時間を有する音符データの音高を指定するための操作子に対応する表示手段と、現在時間に達していない発音開始時間を有する音符データの音高を指定するための操作子に対応する表示手段とを、異なる態様で表示させることを特徴とする請求項１に記載の演奏教習装置。
【請求項３】
前記表示制御手段は、現在時間に達していない発音開始時間を有する音符のデータのうち当該現在時間に最も近い発音開始時間を有する音符データの音高を指定するための操作子に対応する表示手段と、他の音符データの音高を指定するための操作子に対応する表示手段とを、異なる態様で表示させることを特徴とする請求項２に記載の演奏教習装置。
【請求項４】
前記時間設定手段は、演奏教習に係る曲のテンポに応じて前記所定時間を設定することを特徴とする請求項１〜３のいずれかに記載の演奏教習装置。
【請求項５】
前記時間設定手段は、演奏教習に係る曲の拍子に応じて前記所定時間を設定することを特徴とする請求項１〜３のいずれかに記載の演奏教習装置。
【請求項６】
前記時間設定手段は、設定操作に応じて前記所定時間を設定することを特徴とする請求項１〜３のいずれかに記載の演奏教習装置。
【請求項７】
演奏教習に係る曲を構成する複数の音符の各音符ごとの音高及び発音開始時間のデータを含む音符データを記憶する記憶手段と、
演奏に際して楽音の音高を指定するための複数の操作子と、
各操作子ごとに対応して設けられた表示手段と、
前記記憶手段から音符データを順次読み出すデータ読出手段と、
電源供給が交流電源からであるか又はバッテリーからであるかを検出する検出手段と、
前記データ読出手段によって読み出される音符データの音高を指定するための操作子に対応する表示手段を表示させると共に、前記検出手段の検出結果に応じて同時に表示させる表示手段の数を制御する表示制御手段と、
を有することを特徴とする演奏教習装置。
【請求項８】
コンピュータに、
演奏教習に係る曲を構成する複数の音符の各音符ごとの音高及び発音開始時間のデータを含む音符データを記憶する記憶手段から、音符データを順次読み出すデータ読出手順と、
このデータ読出手順によって読み出された音符データの発音開始時間と現在時間に所定時間を加算した未来時間とを比較して、当該未来時間以内の発音開始時間を有する音符データを選択するデータ選択手順と、
演奏に際して楽音の音高を指定するための複数の操作子の各操作子ごとに対応して設けられ、異なる態様で表示可能な表示手段に対して、前記データ選択手順によって選択された音符データの音高を指定するための操作子に対応する表示手段を、当該音符データの発音開始時間に応じた態様で表示させる表示制御手順と、
を実行させるためのプログラムを記録したコンピュータ読み取り可能な記録媒体。
【請求項９】
コンピュータに、
演奏教習に係る曲を構成する複数の音符の各音符ごとの音高及び発音開始時間のデータを含む音符データを記憶する記憶手段から、音符データを順次読み出すデータ読出手順と、
電源供給が交流電源からであるか又はバッテリーからであるかを検出する検出手順と、
前記データ読出手順によって読み出される音符データの音高を指定するための操作子に対応する表示手段を表示させると共に、前記検出手順の検出結果に応じて同時に表示させる表示手段の数を制御する表示制御手順と、
を実行させるためのプログラムを記録したコンピュータ読み取り可能な記録媒体。
【手続補正２】
【補正対象書類名】明細書
【補正対象項目名】０００４
【補正方法】変更
【補正の内容】
【０００４】
【課題を解決するための手段】
請求項１に記載の演奏教習装置は、演奏教習に係る曲を構成する複数の音符の各音符ごとの音高及び発音開始時間のデータを含む音符データを記憶する記憶手段と、演奏に際して楽音の音高を指定するための複数の操作子と、各操作子ごとに対応して設けられ、異なる態様で表示可能な表示手段と、所定時間を設定する時間設定手段と、前記記憶手段から音符データを順次読み出すデータ読出手段と、このデータ読出手段によって読み出された音符データの発音開始時間と現在時間に前記所定時間を加算した未来時間とを比較して、当該未来時間以内の発音開始時間を有する音符データを選択するデータ選択手段と、このデータ選択手段によって選択された音符データの音高を指定するための操作子に対応する表示手段を、当該音符データの発音開始時間に応じた態様で表示させる表示制御手段と、を備えた構成になっている。
【手続補正３】
【補正対象書類名】明細書
【補正対象項目名】０００５
【補正方法】変更
【補正の内容】
【０００５】
請求項７に記載の演奏教習装置は、演奏教習に係る曲を構成する複数の音符の各音符ごとの音高及び発音開始時間のデータを含む音符データを記憶する記憶手段と、演奏に際して楽音の音高を指定するための複数の操作子と、各操作子ごとに対応して設けられた表示手段と、前記記憶手段から音符データを順次読み出すデータ読出手段と、電源供給が交流電源からであるか又はバッテリーからであるかを検出する検出手段と、前記データ読出手段によって読み出される音符データの音高を指定するための操作子に対応する表示手段を表示させると共に、前記検出手段の検出結果に応じて同時に表示させる表示手段の数を制御する表示制御手段と、を備えた構成になっている。
【手続補正４】
【補正対象書類名】明細書
【補正対象項目名】０００６
【補正方法】変更
【補正の内容】
【０００６】
請求項８に記載の記録媒体は、コンピュータに、演奏教習に係る曲を構成する複数の音符の各音符ごとの音高及び発音開始時間のデータを含む音符データを記憶する記憶手段から、音符データを順次読み出すデータ読出手順と、このデータ読出手順によって読み出された音符データの発音開始時間と現在時間に所定時間を加算した未来時間とを比較して、当該未来時間以内の発音開始時間を有する音符データを選択するデータ選択手順と、演奏に際して楽音の音高を指定するための複数の操作子の各操作子ごとに対応して設けられ、異なる態様で表示可能な表示手段に対して、前記データ選択手順によって選択された音符データの音高を指定するための操作子に対応する表示手段を、当該音符データの発音開始時間に応じた態様で表示させる表示制御手順と、を実行させるためのプログラムをコンピュータが読み取り可能に記録している。
【手続補正５】
【補正対象書類名】明細書
【補正対象項目名】０００７
【補正方法】変更
【補正の内容】
【０００７】
請求項９に記載の記録媒体は、コンピュータに、演奏教習に係る曲を構成する複数の音符の各音符ごとの音高及び発音開始時間のデータを含む音符データを記憶する記憶手段から、音符データを順次読み出すデータ読出手順と、電源供給が交流電源からであるか又はバッテリーからであるかを検出する検出手順と、前記データ読出手順によって読み出される音符データの音高を指定するための操作子に対応する表示手段を表示させると共に、前記検出手順の検出結果に応じて同時に表示させる表示手段の数を制御する表示制御手順と、を実行させるためのプログラムをコンピュータが読み取り可能に記録している。